(57)【要約】      （修正有）【課題】床等に孔を空けるなどの住宅改修を要せずに取り付けることのできる手すりを提供する。【解決手段】手すり１は、下端が床面Ｆに当接し、上端が天井Ｃに当接して、垂直方向に立設される着脱自在の突っ張り型の棒材２と、棒材２に連結されたフレーム４，６とを有している。この構成によれば、前記棒材は、突っ張り型の棒であることから単独で床面と天井との間に固定される。そして前記フレームは、前記棒材に連結されることで棒材によって支持されている。これにより、前記棒材やフレームを身体の支えとして使用でき、また、前記棒材やフレームはビス等で床や壁に固定する必要がないため、前記手すりは住宅改修をせずに屋内に取り付けられる。また、手すりは、簡易な構造を有していることから、製造コストが廉価に抑えられるとともに取り付けが容易になる。【選択図】図１
0003137495.tif 000002
【実用新案登録請求の範囲】
【請求項１】
下端が床面に当接し、上端が天井に当接して、垂直方向に立設される着脱自在の突っ張り型の棒材と、
前記棒材に連結されたフレームとを有することを特徴とする手すり。
【請求項２】
前記フレームは、床面に当接する部分を備えていることを特徴とする請求項１に記載の手すり。
【請求項３】
前記フレームは、一端が床面に当接し、他端が前記棒材に連結された第１フレームと、一端が前記第１フレームの中間部に連結され、他端が前記第１フレームよりも下方で棒材に連結された第２フレームとから構成されていることを特徴とする請求項２に記載の手すり。
【請求項４】
前記手すりは、段状になった所を昇降するために使用され、
前記棒材の下端は、上段の床面に当接し、
前記第１フレームの一端は、下段の床面に当接していることを特徴とする請求項３に記載の手すり。
【請求項５】
前記第１フレームは、下端が下段の床面に当接して垂直方向に延びる垂直部、該垂直部の上端から前記棒材側へ斜め上方に延びる傾斜部、該傾斜部の上端から棒材側へ略水平に延びて先端が前記棒材に連結された水平部から構成され、
前記第２フレームは、一端が前記垂直部に連結されているとともに、該一端から前記棒材側に略水平に延びて他端が前記水平部よりも下方で前記棒材に連結されていることを特徴とする請求項４に記載の手すり。
【請求項６】
前記水平部の長さ寸法は、１００ｍｍ以上６００ｍｍ以下であることを特徴とする請求項５に記載の手すり。
【請求項７】
前記垂直部の長さ寸法は、６００ｍｍ以上９００ｍｍ以下であることを特徴とする請求項５又は６に記載の手すり。
【請求項８】
前記水平部の高さは、前記上段の床面から６００ｍｍ以上９００ｍｍ以下の範囲であることを特徴とする請求項５〜７のいずれか１つに記載の手すり。
【請求項９】
前記第１フレームと前記第２フレームとは、着脱自在に前記棒材に連結されていることを特徴とする請求項３〜８のいずれか１つに記載の手すり。
【請求項１０】
前記フレームは、前記棒材に連結された主フレームと、該主フレームに連結された従フレームとから構成され、
前記主フレームと前記従フレームとのいずれか一方又は両方が、床面に接する部分を備えていることを特徴とする請求項１に記載の手すり。
【請求項１１】
前記フレームの少なくとも一部は、軟質樹脂又はゴムで構成された被覆部材によって被覆されていることを特徴とする請求項１〜１０のいずれか１つに記載の手すり。
【請求項１２】
前記被覆部材は、筒状の部材で構成され、
前記被覆部材の筒部内周面には、該筒部内周面から筒部内方に突出して長手方向に延び且つ周方向に等間隔に配置された複数のリブが設けられていることを特徴とする請求項１〜１１のいずれか１つに記載の手すり。
【考案の詳細な説明】
【技術分野】
【０００１】
本考案は、手すりに関するものである。
【背景技術】
【０００２】
従来より、高齢者や身障者が快適な生活をおくれるように住宅に手すりを設置することが行われている。例えば、特開平１０−１８３９２５号公報には、玄関の段差部を昇降する際に用いられる手すりが開示されており、この手すりは、ビスにより床面に固定されるようになっている。
【考案の開示】
【考案が解決しようとする課題】
【０００３】
しかしながら、前記特許文献の手すりは、ビス孔を形成するために住宅改修費を要し、また賃貸住宅のように床に孔を開けることができない場合には使用することができない。
【０００４】
本考案は、かかる点に鑑みてなされたものであり、その目的とするところは、床等に孔を空けるなどの住宅改修を要せずに取り付けることのできる手すりを提供することにある。
【課題を解決するための手段】
【０００５】
上記の課題を解決するために本考案の手すりは、次に示す構成を有している。
【０００６】
第１の考案では、前記手すりは、下端が床面に当接し、上端が天井に当接して、垂直方向に立設される着脱自在の突っ張り型の棒材と、前記棒材に連結されたフレームとを有することを特徴とする。
【０００７】
この構成によれば、前記棒材は、突っ張り型の棒であることから単独で床面と天井との間に固定される。そして前記フレームは、前記棒材に連結されることで棒材によって支持されている。これにより、前記棒材やフレームを身体の支えとして使用でき、また、前記棒材やフレームはビス等で床や壁に固定する必要がないため、前記手すりは住宅改修をせずに屋内に取り付けられる。また、手すりは、簡易な構造を有していることから、製造コストが廉価に抑えられるとともに取り付けが容易になる。
【０００８】
第２の考案では、第１の考案において、前記フレームは、床面に当接する部分を備えていることを特徴とする。
【０００９】
この構成によれば、前記フレームは、床面に支持されることから安定した状態になる。
【００１０】
第３の考案では、第２の考案において、前記フレームは、一端が床面に当接し、他端が前記棒材に連結された第１フレームと、一端が前記第１フレームの中間部に連結され、他端が前記第１フレームよりも下方で棒材に連結された第２フレームとから構成されていることを特徴とする。
【００１１】
この構成によれば、前記第１フレームの他端と前記第２フレームの他端とがそれぞれ棒材に連結された状態で、前記第２フレームの一端が前記第１フレームの中間部に連結されていることで、前記第１フレーム及び前記第２フレームは安定した状態になる。
【００１２】
第４の考案では、前記第３の考案の手すりは、段状になった所を昇降するために使用され、前記棒材の下端は、上段の床面に当接し、前記第１フレームの一端は、下段の床面に当接していることを特徴とする。
【００１３】
この構成によれば、棒材の下端が上段の床面に当接し、前記第１フレームの一端が下段の床面に当接していること、手すりは前記段状になった所に安定して取り付けられる。
【００１４】
第５の考案では、第４の考案において、前記第１フレームは、下端が下段の床面に当接して垂直方向に延びる垂直部、該垂直部の上端から前記棒材側へ斜め上方に延びる傾斜部、該傾斜部の上端から棒材側へ略水平に延びて先端が前記棒材に連結された水平部から構成され、前記第２フレームは、一端が前記垂直部に連結されているとともに、該一端から前記棒材側に略水平に延びて他端が前記水平部よりも下方で前記棒材に連結されていることを特徴とする。
【００１５】
この構成によれば、第１フレームは上段側の部分ほど高く位置するようになるので、使用者が前記段状になった所を昇降する際に第１フレームを握る上で有利になる。また、第２フレームは略水平に延びていることから、使用者が上段の床面上に座った際に第２フレームを握る上で有利になる。
【００１６】
第６の考案では、第５の考案において、前記水平部の長さ寸法は、１００ｍｍ以上６００ｍｍ以下であることを特徴とする。
【００１７】
この構成によれば、水平部の長さ寸法が、手の幅と同等又はそれ以上になることから、水平部は使用者によって握られるのに適した長さを有する。
【００１８】
第７の考案では、第５又は第６の考案において、前記垂直部の長さ寸法は、６００ｍｍ以上９００ｍｍ以下であることを特徴とする。
【００１９】
この構成によれば、使用者が下段の床面上に立った状態で、垂直部の上端は使用者の腰の高さに位置するようになる。これにより、使用者は、下段の床面上に立った状態で垂直部から上方へ延びる傾斜部を容易に握ることができる。
【００２０】
第８の考案では、第５〜７のいずれか１つの考案において、前記水平部の高さは、前記上段の床面から６００ｍｍ以上９００ｍｍ以下の範囲であることを特徴とする。
【００２１】
この構成によれば、使用者が上段の床面上に立った状態では、水平部は使用者の腰の高さに位置するようになる。これにより、使用者は、上段の床面上に立った状態で水平部を容易に握ることができる。
【００２２】
第９の考案では、第４〜８のいずれか１つの考案において、前記第１フレームの他端と前記第２フレームの他端とは、着脱自在に前記棒材に連結されていることを特徴とする。
【００２３】
この構成によれば、第１フレーム及び第２フレームの棒材への連結位置を調整することができる。これにより、様々な高さを有する段に対して、第１のフレームの一端が下段の床面に当接し、また第２フレームの一端が前記第１フレームの中間部に連結されるように手すりを設置することができる。
【００２４】
第１０の考案では、第１の考案において、前記フレームは、前記棒材に連結された主フレームと、該主フレームに連結された従フレームとから構成され、前記主フレームと前記従フレームとのいずれか一方又は両方が、床面に接する部分を備えていることを特徴とする。
【００２５】
この構成によれば、主フレーム及び従フレームの形状や連結位置を調整することで、主フレームの補強のために従フレームを使用したり、手すりの設置範囲を拡大することができる。また、前記主フレームと前記従フレームとのいずれか一方又は両方が、床面に接する部分を備えていることで、前記主フレーム及び従フレームは安定した状態になる。
【００２６】
第１１の考案では、第１〜１０の考案のいずれか１つにおいて、前記フレームの少なくとも一部は、軟質樹脂又はゴムで構成された被覆部材によって被覆されていることを特徴とする。
【００２７】
この構成によれば、使用者が手すりを使用する際に前記被覆部材によって被覆された部分を握ることで、被覆部材は指や手のひらに沿うように変形する。これにより、手が滑ることが防止される。
【００２８】
第１２の考案では、第１〜１１の考案のいずれか１つにおいて、前記被覆部材は、円筒状の部材で構成され、前記被覆部材の筒部内周面には、該筒部内周面から筒部内方に突出して長手方向に延び且つ周方向に等間隔に配置された複数のリブが設けられていることを特徴とする。
【００２９】
この構成によれば、使用者が手すりを使用する際に前記被覆部材によって被覆された部分を握ることで、前記軟質樹脂やゴムは指や手のひらに沿うように変形し、使用者の手が一層滑り難くなるとともに、前記被覆された部分の感触が良くなる。
【考案の効果】
【００３０】
本考案によれば、前記棒材及び第１，２フレームはビス等で床や壁に固定される必要がないため、前記手すりは住宅改修をせずに屋内に取り付けられる。また、手すりは、簡易な構造を有していることから、製造コストが廉価に抑えられるとともに取り付けが容易になる。
【考案を実施するための最良の形態】
【００３１】
以下、本考案の第１実施形態を図１〜２１に基づいて詳細に説明する。尚、以下の好ましい実施形態の説明は、本質的に例示に過ぎず、本考案、その適用物或いはその用途を制限することを意図するものではない。
【００３２】
手すり１は、図１に示すように、段状になった所に取り付けられるものであって、共に金属製の棒材２と第１フレーム３と第２フレーム４とを有している。まず棒材２について図２〜１３を参照して説明する。
【００３３】
棒材２は、上段の床Ｆ上で垂直方向に立設されるものであって、下部パイプ１０、上部パイプ２０、下部ホルダー３０、上部ホルダー４０、回動レバー５０、および引張スプリング６０で構成されている。
【００３４】
大径下部パイプ１０は、下端である土台部１２が上段の床Ｆに当接する。小径上部パイプ２０は、下部パイプ１０より小径であり、その下端部が下部パイプ１０の上端部に挿入され、上端が天井Ｃに当接する。
【００３５】
下部ホルダー３０は、下部パイプ１０の上端部に嵌合してビス３３で固定され、後端部の左右両側に、水平軸３１を中心として回転する一対のローラー３２を軸支している。上部ホルダー４０は、上部パイプ２０の下端部に嵌合し、その後端部に横軸４１を有する。
【００３６】
母線方向に割れ目４３を設けた円筒状の上部ホルダー４０には、割れ目４３の両側に放射方向の締付片４４ａ，４４ｂが対向させて突設されており、両締付片４４ａ，４４ｂの上部には両者を貫通する軸受孔４５が設けられ、また軸受孔４５より下側の締付片４４ａ，４４ｂの両外面は、後方に向かって狭くなり、下に向かって広くなるテーパー面４６ａ，４６ｂが設けられている。
【００３７】
回動レバー５０は、レバー本体５１とカム板部６２とで構成される。レバー本体５１は、下に凹の逆溝形で、前部には平行する内側壁５７ａ，５７ｂが設けられ、また前端溝底部には切欠き５８が設けられている。そしてレバー本体５１は、上部ホルダー４０の後端部の締付片４４ａ，４４ｂを挟んで外側から嵌められ、横軸４１を介してその前端部が軸受孔４５に軸支された長尺状である。カム板部５２は、レバー本体５１のほぼ前半部の左右両側下端に外に拡がる段部５８を介して一体設され、下端面を、円弧状でローラー３２の上面に当接するカム面５３としている。カム面５３の後方に隣接して、レバー本体５１に、ローラー３２が進入するストッパー凹部５４を形成している。
【００３８】
また、上部パイプ２０の上端部には、上端面が天井Ｃに当接する平面十字状の支持板２１が設けられている。
【００３９】
次に第１，２フレーム３，４について説明する。
【００４０】
第１フレーム３は、円筒状の部材であって、図１に示すように、垂直部５と、傾斜部６と、水平部７とから構成されている。垂直部５は、下端の土台部８が下段の床Ｇに当接して垂直方向に延びている。垂直部５の長さ寸法は、６００ｍｍ以上９００ｍｍ以下の範囲内であることが望ましく、本実施形態では７５０ｍｍに設定されている。傾斜部６は、垂直部５に対して４５度で傾斜するように垂直部７の上端から斜め上方に延びており、傾斜部６の長さ寸法は、該傾斜部６の上端と下端とが高さ方向に２５０ｍｍ離隔するように形成されている。水平部７は、傾斜部６に対して４５度で傾斜するように傾斜部６の上端から棒材２側へ略水平に延びて、その先端７ａがジョイント９により棒材２の下部パイプ１０に連結されている。水平部７の長さ寸法は、１００ｍｍ以上６００ｍｍ以下の範囲内であることが望ましく、本実施形態では３００ｍｍに設定されている。
【００４１】
図１５は、水平部７を棒材２に連結するジョイント９を示す斜視図であり、図１６は、図１５に示すジョイント９の分解平面図である。ジョイント９は、下部パイプ１０の中間部分が挿入される筒部２２と、該筒部２２の周壁から外側に突出するように形成され、水平部７の先端部が挿入される筒部２３を有している。ジョイント９は、筒部２２における筒部２３反対側の半割部を構成する分割体２４と、筒部２２における筒部２３側の半割部と筒部２３とを構成する分割体２５とが連結されたものであって、分割体２４，２５は、それぞれ半割開口側の縁にボルト孔２６を有するフランジ２７が形成され、フランジ２７同士が重ね合わされた状態でボルト孔２６に通したボルトが締結することで連結されている。このジョイント９によればボルトの締結を解除して分割体２４，２５を分離することで水平部７と下部パイプ１０との連結を解除できることから、水平部７は下部パイプ１０に対して着脱自在に連結されたものとなっている。
【００４２】
第２フレーム４は、円筒状の部材であって、図１に示すように、一方の端部４ａが垂直部５に連結されているとともに、端部４ａから棒材２側に略水平に延びて、他方の端部４ｂが水平部７よりも下方で下部パイプ１０に連結されている。なお、第２フレーム４の端部４ａ，４ｂは、ジョイント９と同様の構成を有するジョイント１３，１４によってそれぞれ垂直部５と下部パイプ１０に着脱自在に連結されている。
【００４３】
そして、第１，２フレーム３，４は、図１７に示すように、それぞれの全体が軟質樹脂又はゴムで構成された被覆部材３５によって被覆されている。被覆部材３５は、筒状の部材で構成され、筒部内周面３５ａには、該筒部内周面から筒部内方に突出して長手方向に延び且つ周方向に等間隔に配置された複数のリブ３６が設けられている。図１７に示す例では、リブ３６は周方向に８本設けられており、各リブ３６の先端が第１，２フレーム３，４の外面に接している。また、被覆部材３５の表面３５ｂには凹凸が形成されている。
【００４４】
次に手すり１の取り付け方法について説明する。なお、以下では、図１に示すように、段差部Ａの高さが３００ｍｍである場合について説明する。
【００４５】
まず、上段の床Ｆ上に下部パイプ１０の下端を垂直に位置させる。この際、上部パイプ２０を下部パイプ１０から手で引き出し、支持板２１を天井Ｃに接触させる。このとき、上部ホルダー４０の下面は下部ホルダー３０に接触している。
【００４６】
回動レバー５０をやや下方向に回動させると、レバー本体５１の内側壁５７ａ，５７ｂがテーパー面４６ａ，４６ｂに接触して、締付片４４ａ，４４ｂを接近させ割れ目４３を小さくし、上部ホルダー４０に縮径の外力を与え、上部パイプ２０を締付ける。
【００４７】
この状態から、回動レバー５０を更に下方向に回動する。これにより、カム面５３がローラー３２上に載り、ローラー３２を回転させながら前方に移動するが、当該カム面５３は、横軸４１からの半径が後方に向かって徐々に大きく形成されているので、上部ホルダー４０と共に上部パイプ２０が上昇する。これにより、上部パイプ２０の上端は、天井Ｃに強く圧接し、当該棒材２は天井Ｃと上段の床Ｆとの間に突っ張った状態で強固に取り付けられている。
【００４８】
なお、回動レバー５０を回動し切った状態では、ローラー３２がカム面５３のストッパー凹部５４に進入するので、当該ローラー３２はその位置で停止する。従って、回動ストッパーは、その状態を維持することができ、よって、当該棒材２は天井Ｃと床Ｆとの間に突っ張った姿勢で強固に固定される。
【００４９】
次に、第１フレーム３の土台部８を下段の床Ｇ上に立設させる。この際には、第２フレーム４の端部４ａはジョイント１３により垂直部５に連結されている。なお、第１フレーム３の土台部８が床Ｇ上に立設した状態において、第２フレーム４の端部４ａは垂直部５の上端５ａから１００ｍｍ以上３００ｍｍ以下ほど下方に位置していることが望ましく、本実施形態では、該連結位置は垂直部５の上端から１５０ｍｍ下方となっている。
【００５０】
そして、水平部７の先端７ａをジョイント９により下部パイプ１０に連結させるとともに、その下方で第２フレーム４の端部４ｂをジョイント１４により下部パイプ１０に連結させることで、手すり１の組み立てが完了する。この際には、水平部７の高さは上段の床Ｆから６００ｍｍ以上９００ｍｍ以下の範囲であることが望ましく、本実施形態では、水平部７の高さが下段の床面Ｇから１０００ｍｍ（７５０ｍｍ＋２５０ｍｍ）上方であり、段差部Ａの高さが３００ｍｍであることから、水平部７の高さは上段の床Ｆから７００ｍｍ上方となっている。
【００５１】
次に玄関の段差部Ａに対して取り付けられた手すり１の使用方法の一例について説明する。はじめに、外出時における手すり１の使用方法について図１８を用いて説明する。
【００５２】
まず（ａ）に示すように、使用者Ｊは、段差部Ａ近傍の床Ｆ上に立った状態で、棒材２を両手で握って体を支える。次に（ｂ）に示すように、各手で握る部分を水平部７に移した状態で、段差部Ａの際まで身体を寄せる。次に（ｃ）に示すように、各手で握る部分を傾斜部６に移した状態で、左右の足を順次下段の床Ｇ上に降ろす。次に（ｄ）に示すように、片方の手で握る部分を第２フレーム４に移した状態で、上段の床Ｆ上に腰を下ろす。次に、手すり１から両手を離して靴を履く。次に（ｅ）に示すように、片方の手で第２フレーム４を握るとともに他方の手で傾斜部６を握った状態で、上段の床Ｆから腰を上げる。次に（ｇ）に示すように、前記他方の手で握る部分を傾斜部６に移した状態で、下段の床Ｇ上に立ち上がる。この後、両手を傾斜部６から離して玄関ドアに向かって歩き始める。
【００５３】
次に、帰宅時における手すり１の使用方法の一例について図１９を用いて説明する。
【００５４】
まず（ａ）に示すように、使用者Ｊは、段差部Ａ近傍に歩み寄った状態で、両手で傾斜部６を握る。次に（ｂ）に示すように、体の正面が土間側Ｈを向くように体の向きを変える。次に（ｃ）に示すように、片方の手で握る部分を第２フレーム４に移した状態で、上段の床Ｆ上に腰を下ろす。次に、手すり１から両手を離して靴を脱ぐ。次に（ｄ）に示すように、片方の手で傾斜部６を握るとともに他方の手で第２フレーム４を握った状態で、床Ｆから腰を上げる。次に（ｅ）に示すように、他方の手で握る部分を水平部７に移した状態で、体の正面が室内側Ｉに向くように体を反転させるとともに、片方の足を上段の床Ｆ上に上げる。次に（ｆ）に示すように、両手で水平部７を握った状態で、残りの足を上段の床Ｆ上に上げる。これにより、使用者Ｊは両足で床Ｆ上に立った状態となり、この後、両手を水平部７から離して、室内に向かって歩き始める。
【００５５】
本実施形態の手すり１によれば、棒材２は、突っ張り型の棒であることから単独で上段の床Ｆと天井Ｃとの間に固定される。そして、第１，２フレーム３，４は、棒材２に連結されることで棒材２によって支持されたものとなっている。これにより、棒材２及び第１，２フレーム３，４はビス等で床や壁に固定される必要がないため、手すり１は住宅改修をせずに屋内に取り付けられる。また、手すり１は、簡易な構造を有していることから、製造コストが廉価に抑えられるとともに取り付けが容易になる。
【００５６】
また、垂直部５と傾斜部６と水平部７とから構成された第１フレーム３は、上段の床Ｆ側部分ほど高く位置しているので、使用者Ｊが床Ｆ，Ｇを昇降する際に第１フレーム３を握る上で有利になる。また、第２フレーム４は略水平に延びていることから、使用者Ｊが上段の床Ｆ上に座った際に第２フレーム４を握る上で有利になる。
【００５７】
また、第１フレーム３は、下端５ｂが下段の床Ｇに当接し、第２フレーム４の端部４ａが垂直部５に連結されていることから安定した状態になる。なお、第２フレーム４についても、端部４ａが垂直部５に連結していることで安定した状態になる。
【００５８】
また、水平部７の先端７ａと第２フレーム４の端部４ａとが着脱自在に棒材２に連結されていることから、第１、２フレーム３，４の棒材への連結位置を調整することができる。これにより、様々な高さを有する段に対して、第１フレーム３の下端（土台部８）が下段の床Ｇに当接し、また第２フレーム４の端部４ａが第１フレーム３の垂直部５に連結されるように手すり１を設置することができる。
【００５９】
また、水平部７の長さ寸法が、手の幅と同等又はそれ以上である１００ｍｍ以上６００ｍｍ以下に設定されていることから、水平部７は使用者Ｊによって握られるのに適した長さを有する。
【００６０】
また、垂直部５の長さ寸法が６００ｍｍ以上９００ｍｍ以下に設定されていることから、使用者Ｊが下段の床Ｇ上に立った状態では、垂直部５の上端は使用者Ｊの腰の高さに位置するようになる。これにより、使用者Ｊは、床Ｇ上に立った状態で垂直部５から上方へ延びる傾斜部６を容易に握ることができる。
【００６１】
また、垂直部５の長さ寸法が６００ｍｍ以上９００ｍｍ以下であるとともに、第２フレーム４の他端が垂直部５の上端から１００ｍｍ以上３００ｍｍ以下ほど下方で垂直部５に連結されていることで、第２フレーム４の高さは下段の床Ｇから３００ｍｍ以上８００ｍｍ以下の範囲になる。これにより、段差部Ａの高さが３００ｍｍ以下である場合には、第２フレーム４と上段の床Ｆとの間に隙間が生じるので、第２フレーム４の取り付け位置をより下方に変更することができる。
【００６２】
また、水平部７の高さが上段の床Ｆから６００ｍｍ以上９００ｍｍ以下の範囲であることから、使用者Ｊが上段の床Ｆ上に立った状態では、水平部７は使用者Ｊの腰の高さに位置するようになる。これにより、使用者Ｊは、上段の床Ｆ上に立った状態で水平部７を容易に握ることができる。
【００６３】
また、第１，２フレーム３，４は、その全体が軟質樹脂やゴムで構成された被覆部材３５によって被覆されていることから、使用者Ｊが第１，２フレーム３，４を握る際には、被覆部材３５は指や手のひらに沿うように変形する。これにより、使用者Ｊの手が滑ることが防止される。
【００６４】
また、被覆部材３５が筒状の部材で構成されているとともに、筒部内周面にリブ３６が設けられて、その先端が第１，２フレーム３，４の外面に接していることから、使用者Ｊが第１，２フレーム３，４を握る際には、前記軟質樹脂やゴムは指や手のひらに沿うように変形して使用者Ｊの手が一層滑り難くなるとともに、第１，２フレーム３，４を握った際の感触が良くなる。
【００６５】
また、被覆部材３５の表面に凹凸が形成されていることから、第１，２フレーム３，４を握った手がより一層滑りにくくなる。
【００６６】
また、棒材２は、下部パイプ１０、上部パイプ２０、下部ホルダー３０、上部ホルダー４０、回動レバー５０で構成され、これらの部材はいずれも簡易な構成であるので、全体構造が簡易である。従って、棒材２の取付けが極めて容易である。
【００６７】
また、上部パイプ２０を手で引き出して支持板に天井Ｃに当て、回動レバー５０を下方向に回動するのみで、天井Ｃと床Ｆとの間に突っ張らせて固定するので、棒材２を強固に取り付けることができる。
【００６８】
また、上部パイプ２０の上端部に、上端面が天井Ｃに当接する平面十字状の支持板２１を設けていることから、天井Ｃに対する棒材２の組み付きを安定させて、より強固に取り付けることができる。
【００６９】
また、レバー本体５１のカム部材の後端部に対応する部分に、左右方向に支持部材を設け、回動レバー５０を回動した際にカム部材５２に作用する力によって、該カム部材５２およびレバー本体５１が左右方向に変形してしまうことが防止される。なお、回動レバー５０を下向きから水平位置に戻したとき、上部ホルダー４０が確実に下部ホルダー３０に接触するまで下降させるために、両者間に引張スプリングを張架することもある
本考案は、上述した実施形態のみに限定されるものではなく、実用新案登録請求の範囲内において、種々改変することができる。
【００７０】
例えば、水平部７と第２フレーム４とのいずれか一方は又は双方は、上部パイプ２０に連結されてもよい。この場合、水平部７と第２フレーム４とは、図１５に示すジョイント９と同様の構成を有するジョイントによって、着脱自在に上部パイプ２０に連結される。なお、このジョイントでは筒部２２に対応する筒部に上部パイプが挿入される。
【００７１】
また、複数の第２フレーム４が、それぞれ棒材２と第１フレーム３とに連結されていてもよい。
【００７２】
また、第１フレーム３と第２フレーム４とは一体に形成されてもよい。これにより、図１に示すジョイント１３が省略できるために、手すり１の製造コストが安価になる。
【００７３】
また、第１，２フレーム３，４は、使用者Ｊにより頻繁に握られる部分のみが上述した被覆部材によって被覆されていてもよい。これにより軟質樹脂或いはゴムの材料費を必要最小限に抑えることができる。
【００７４】
また、手すり１は、第１，２フレーム３，４の長さ寸法を適切に設定することで、棒材２の下端（土台部１２）が接する上段の床から複数段下がった下段の床に第１フレーム６の下端（土台部８）が接するように使用することもできる。
【００７５】
また、手すりのフレームは、上述した第１フレーム３や第２フレーム４に代えて、図２０に示すように、棒材２に連結された主フレーム（図２０に示す１５）と、該主フレームに連結された従フレーム（図２０に示す１６，１６０，１６１）とから構成されてもよい。以下、具体的に説明する。
【００７６】
まず（ａ）に示す手すり１０１では、主フレーム１５は、図１に示す第１フレーム３と同様の形状を呈し、一端１５ａが棒材２に連結され、他端１５ｂが下段の床面Ｇに連結されている。従フレーム１６は、Ｌ字状を呈し、その一端１６ａが主フレーム１５の水平部１５ｃに連結され、他端１６ｂが主フレーム１５の垂直部１５ｄに当接している。このようにすることで、主フレーム１５は従フレーム１６によって補強された状態になっている。
【００７７】
（ｂ）に示す手すり１０２は、１つの主フレーム１５に２つの従フレーム１６０，１６１が連結された状態を示しており、主フレーム１５は、図１の第２フレーム４と同様、棒材２に連結された一端１５ａから水平に延びている。従フレーム１６０は、下端１６０ａが主フレーム１５の中間部に連結されて上方へ延びている。従フレーム１６１は、下段の床面Ｇに当接した下端１６１ｂから上方へ垂直に延びて、その中間部に主フレーム１５の他端１５ｂが連結されている。そしてさらに、従フレーム１６１は、棒材側へ斜め上方に延びた後、水平に延びて、その先端１６１ａが棒材２の手前で従フレーム１６０の上端１６０ｂに連結されている。この場合においても、床Ｆ，Ｇの昇降時にフレーム１５，１６や棒材２を身体の支えとして使用され得る。
【００７８】
（ｃ）に示す手すり１０３では、主フレーム１５は（ａ）と同様であり、従フレーム１６は、Ｌ字状を呈し、その一端１６ａが主フレーム１５の垂直部１５ｄに連結され、他端１６ｂが床Ｇよりも下段の床Ｈ上に当接している。この場合、図１に示す手すり１に比して手すりの設置範囲が拡大されて、床Ｆ，Ｇ，Ｈの昇降時にフレーム１５，１６や棒材が身体の支えとして使用され得る。
【００７９】
なお、手すり１０１では、主フレーム１５の下端１５ｂが床Ｇに接し、手すり１０２では、従フレーム１６１の下端１６１ｂが床Ｇに接し、手すり１０３では、主フレーム１５の下端１５ｂが床Ｇに接し、従フレーム１６の下端１６ｂが床Ｈに接していることから、図２０に示した主フレーム１５及び従フレーム１６，１６０，１６１はそれぞれ安定した状態になっている。
【００８０】
また、本発明の手すりが設置される場所は段状になった所に限られない。図２１は、平坦な床Ｆ上に設置された手すり１０３を示している。手すり１０３は、図１の第１フレーム３に代えて、フレーム１７が棒材２に連結されたものであって、フレーム１７は、第１フレーム３から傾斜部６を省略した形状を呈し、棒材２が床Ｆ上に立設した状態で、一端１７ａが棒材２に連結され、他端１７ｂを床Ｆ上に当接している。そして、フレーム１７の垂直部１７ｃと棒材２とが水平なフレーム１８によって繋がれている。この手すり１０３は、床Ｆの歩行時に棒材２やフレーム１７，１８が身体の支えとして使用され得る。
【００８１】
なお、図２０及び２１に示したフレーム１５，１６，１７，１８，１６０，１６１も、第１，２フレーム３，４と同様に滑り止めのために、軟質樹脂又はゴムで構成された筒状の被覆部材によって被覆され得て、該被覆部材によって被覆される部分は、使用者Ｊにより頻繁に握られる部分のみであり得る。
【図面の簡単な説明】
【００８２】
【図１】本考案の実施形態に係る手すりを示す側面図である。
【図２】棒材の取り付け方を示す側面図である。
【図３】棒材の回動レバー近傍部分を示す拡大図である。
【図４】図３のＡ−Ａ線断面図である。
【図５】回動レバーを示す側面図である。
【図６】（ａ）は図５のＢ−Ｂ線断面図、（ｂ）はＣ−Ｃ線断面図である。
【図７】下部ホルダーを示す側面図である。
【図８】図７に示す下部ホルダーの平面図である。
【図９】上部ホルダーを示す側面図である。
【図１０】図８に示す下部ホルダーの平面図である。
【図１１】レバーを上げた状態における図９のＺ−Ｚ断面端図である。
【図１２】レバーを若干傾けた状態における図９のＺ−Ｚ断面端図である。
【図１３】棒材の動作を示す要部拡大側面図である。
【図１４】棒材の概略平面図である。
【図１５】水平部７を棒材に連結するジョイントを示す斜視図である。
【図１６】図１５に示すジョイントの分解平面図である。
【図１７】第１，２フレームを被覆する被覆部材を示す断面図である。
【図１８】外出時における手すりの使用方法を示す図である。
【図１９】帰宅時における手すりの使用方法を示す図である。
【図２０】手すりの変形例を示す概略側面図である。
【図２１】手すりの変形例を示す側面図である。
【符号の説明】
【００８３】
１，１０１，１０２，１０３，１０４      手すり、
２      棒材、 
３      第１フレーム、 
４      第２フレーム、 
４ａ    端部（一端）、                        
４ｂ    端部（他端）、 
５      垂直部、 
６      傾斜部、 
７      水平部、 
７ａ    先端、
１５    主フレーム、
１６，１６０，１６１  従フレーム、
３５    被覆部材、
３５ａ  筒部内周面、
３６  リブ。
【図１】
0003137495.tif 000003
【図２】
0003137495.tif 000004
【図３】
0003137495.tif 000005
【図４】
0003137495.tif 000006
【図５】
0003137495.tif 000007
【図６】
0003137495.tif 000008
【図７】
0003137495.tif 000009
【図８】
0003137495.tif 000010
【図９】
0003137495.tif 000011
【図１０】
0003137495.tif 000012
【図１１】
0003137495.tif 000013
【図１２】
0003137495.tif 000014
【図１３】
0003137495.tif 000015
【図１４】
0003137495.tif 000016
【図１５】
0003137495.tif 000017
【図１６】
0003137495.tif 000018
【図１７】
0003137495.tif 000019
【図１８】
0003137495.tif 000020
【図１９】
0003137495.tif 000021
【図２０】
0003137495.tif 000022
【図２１】
0003137495.tif 000023